(57)【要約】【課題】コンタクトの先端部を損傷することなく、容易に台座を組み込めるようにしたエリアアレイ用ソケットの組立て方法を提供する。【解決手段】ＩＣパッケージが載置され、ソケット基板に対して上下動自在に支持される台座がソケット基板の台座収容室内に収容される第１の工程、前記ＩＣパッケージと電気的に接触する、弾性変形可能なコンタクトが前記台座を介してソケット基板に固定される第２の工程、前記台座が収容された位置から所定位置にまで引き上げられる第３の工程、前記台座と前記台座収容室の底壁との間に弾性部材が設けられる第４の工程を備え、前記第１の工程から第４の工程の順で実行される。さらに、前記台座に上下方向に所定の長さを有する長孔が形成されており、前記長孔を貫通してソケット基板にシャフトを固定する第５の工程が、前記第３の工程と前記第４の工程との間又は前記第４の工程の後に実行される。【選択図】　　　　図１
2004014303.tif 000002
【特許請求の範囲】
【請求項１】
ＩＣパッケージが載置され、ソケット基板に対して上下動自在に支持される台座がソケット基板の台座収容室内に収容される第１の工程、
前記ＩＣパッケージと電気的に接触する、弾性変形可能なコンタクトが前記台座を介してソケット基板に固定される第２の工程、
前記台座が収容された位置から所定位置にまで引き上げられる第３の工程、
前記台座と前記台座収容室の底壁との間に弾性部材が設けられる第４の工程、
を備え、
前記第１の工程から第４の工程の順で実行されることを特徴とするエリアアレイ用ソケットの組立て方法。
【請求項２】
前記台座は、その下面が前記台座収容室底壁上面に接するように収容されることを特徴とする請求項１に記載のエリアアレイ用ソケットの組立て方法。
【請求項３】
前記台座を前記ソケット基板に対して上下動自在に支持するために、該台座に、上下方向に所定の長さを有する長孔が形成されていることを特徴とする請求項１又は２に記載のエリアアレイ用ソケットの組立て方法。
【請求項４】
前記長孔を貫通してソケット基板にシャフトを固定する第５の工程が前記第３の工程と前記第４の工程との間で実行されることを特徴とする請求項３に記載のエリアアレイ用ソケットの組立て方法。
【請求項５】
前記長孔を貫通してソケット基板にシャフトを固定する前記第５の工程が前記第４の工程の後に実行されることを特徴とする請求項３に記載のエリアアレイ用ソケットの組立て方法。
【発明の詳細な説明】
【０００１】
【発明の属する技術分野】
本発明は、エリアアレイ用ソケットの組立て方法に関し、より詳細には、ＩＣパッケージが載置される台座の組み込み工程を容易にしたエリアアレイ用ソケットの組立て方法に関する。
【０００２】
【従来の技術】
従来のエリアアレイ用ソケットの組立てにおいて、コンタクト及び台座を組み込む工程を、図１０を用いて説明する。
【０００３】
最初に、図１０（ａ）の示されるように、ソケット基板１０の台座収容室１１底部に整列形成されている複数のコンタクト圧入孔１５ｂに、複数のコンタクト３０が圧入される。該複数のコンタクト３０は、対応するコンタクト圧入孔１５ｂを貫通した状態でソケット基板１０に整列して固定される。
【０００４】
次に、図１０（ｂ）に示されるように、台座４０を上方に押し上げるように付勢されているコイルバネ１６が、複数本（図では４本）を前記台座収容室１１底壁１５の所定位置（図では、台座収容室１１の４隅）に形成されている取付凹部（不図示）に固定される。
【０００５】
次に、図１０（ｃ）に示されるように、台座４０が台座収容室１１内に挿入される。この時、コンタクト３０の先端部が、該コンタクト３０に対応して台座４０に形成されている貫通孔４３内途中まで挿入される。その後、図１０（ｄ）に示されるように、シャフト４４が、ソケット基板１０の両側壁１２ａ、１２ｂに形成されているシャフト孔１７から挿入され、ソケット基板１０に固定される。この時、シャフト４４は、台座４０の脚部４１に形成されている上下に長い長孔４２を貫通し、それにより、台座４０は、ソケット基板１０に対して長孔４２の長さ分だけ上下動自在に取り付けられる。
【０００６】
【発明が解決しようとする課題】
従来の組立工程においては、上記したように、コンタクト３０をソケット基板１０に固定してから台座４０を取り付けている。しかしながら、先にコンタクト３０をソケット基板１０に固定すると、該コンタクト３０のソケット基板１０との固定部分から該コンタクト３０の先端部までに相応の長さがあり、また、該コンタクト３０の先端部は、自由であるため、該コンタクト３０の先端部は、きちんと整列した状態とならない恐れがある。それによって、図１１に示されるように、該コンタクト３０先端部は、台座４０の個々のコンタクト３０に対応する貫通孔４３に対して位置ずれしてしまう。このことは、台座４０をソケット基板１０に取り付けるに際し、コンタクト３０の先端部がスムーズに貫通孔４３内に挿入されず、コンタクト３０の先端部にある接触片３１を変形あるいは損傷させる恐れもある。したがって、例えば、台座４０を組み込むのにコンタクト３０の整列手段を必要とする等して、製造コストを上げ、時間もかかる。また、コンタクト３０の先端部すなわち接触片３１の損傷によっては、搭載されるＩＣパッケージとの電気的接触に信頼性を損ねる恐れもある。
【０００７】
本発明の目的は、上記問題点に鑑み、コンタクトの先端部を損傷することなく、容易に台座を組み込めるようにしたエリアアレイ用ソケットの組立て方法を提供することにある。
【０００８】
【課題を解決するための手段】
上記目的を達成するために、本発明のエリアアレイ用ソケットの組立て方法は、ＩＣパッケージが載置され、ソケット基板に対して上下動自在に支持される台座がソケット基板の台座収容室内に収容される第１の工程、前記ＩＣパッケージと電気的に接触する、弾性変形可能なコンタクトが前記台座を介してソケット基板に固定される第２の工程、前記台座が収容された位置から所定位置にまで引き上げられる第３の工程、前記台座と前記台座収容室の底壁との間に弾性部材が設けられる第４の工程を備え、前記第１の工程から第４の工程の順で実行されることを特徴とする。
【０００９】
また、前記台座は、その下面が前記台座収容室底壁上面に接するように収容されることが好ましい。
【００１０】
さらに、前記台座を前記ソケット基板に対して上下動自在に支持するために、該台座に、上下方向に所定の長さを有する長孔が形成されており、前記長孔を貫通してソケット基板にシャフトを固定する第５の工程が、前記第３の工程と前記第４の工程との間又は前記第４の工程の後に実行されることを特徴とする。
【００１１】
【発明の実施の形態】
本発明により組立てられるエリアアレイ用ソケットは、上記従来構造と同じであるが、ここで、図１、２を用いて簡単に説明しておく。したがって、上記従来例と同じ付番は、同じ部品を示している。
【００１２】
図１は、エリアアレイ用ソケットがＩＣパッケージを載置して後、ある程度開いている時の図であり、（ａ）は、エリアアレイソケット全体の概略断面図であり、（ｂ）は、（ａ）の領域Ｂ内の拡大断面図である。図２は、ＩＣパッケージを載置したエリアアレイ用ソケットが完全に閉じている時の図であり、（ａ）は、エリアアレイソケット全体の概略断面図であり、（ｂ）は、図１（ａ）の領域Ｂとほぼ同様の領域である（ａ）の領域Ｂ’内の拡大断面図である。
【００１３】
エリアアレイソケット１は、概略、ソケット基板１０、リッド（蓋部）２０、コンタクト３０及び台座４０を備えている。
【００１４】
ソケット基板１０は、合成樹脂製で、一体的にモールド加工で形成されている。該ソケット基板１０は、側部を第１〜第４の側壁１２ａ〜１２ｄに及び底部を底壁１５に囲まれ、上部に開口する台座収容室１１を有している。該台座収容室１１上方には、台座４０が弾性部材としてのコイルバネ１６を介してソケット基板１０に対して上下動自在に設けられている。ソケット基板１０の第１の側壁（前壁）１２ａには、リッド２０のラッチ２２に係合する係合爪１４が、該前壁１２ａに対向する第３の側壁（後壁）１２ｃ上方両側端には、リッド２０を回動自在に支持するための一対の突出体１３ａ、１３ｂが形成されている。また、ソケット基板１１の対向する第２の側壁（左壁）１２ｂと第４の側壁（右壁）１２ｄとの間には、台座４０を上下動自在に支持する２本のシャフト４４、４４がシャフト挿入孔１８を通して固定されている。さらに、ソケット基板１０の底壁１５には、それを貫通して多数のコンタクト３０が圧入され、固定される多数のコンタクト圧入孔１５ｂが設けられているとともに、ソケット１組立時に台座４０の脚部４１ａ、４１ｂを収容したり、治具（不図示）やコイルバネ１６を台座収容室１１内に挿入するための複数の通し孔１５ａが所定箇所に形成されている。
【００１５】
リッド２０は、その先端部に、ソケット基板１０の前壁１２ａに形成されている係合爪１４に係合するラッチ２２を有し、その中央部に、台座４０上に載置されたＩＣパッケージ５０を台座４０とともに押し下げるパッケージ押え２１を有する。また、リッド２０の基端部には、ソケット基板１０の後壁１２ｃに形成されている一対の突出体１３ａ、１３ｂ間に渡され、該リッド２０を回動自在に支持するピン２３が貫通している。なお、リッド２０も、ソケット基板と同様、合成樹脂製で、一体的にモールド加工で形成されている。
【００１６】
コンタクト３０は、金属製で、板金加工により形成されている。該コンタクト３０は、その一端部にＩＣパッケージ５０の接点部（半田ボール又はパッド）５１に接触する接触片３１を、その他端部にテストボード等の接点部（不図示）に接触する端子部３２を含んでいる。したがって、コンタクト３０は、ソケット１に搭載されるＩＣパッケージ５０の複数の接点部５１に対応して、ソケット基板１０の底壁１５に配列され、固定される。なお、コンタクト３０は、ソケット基板１０の底壁１５に設けられているコンタクト圧入孔１９を貫通し、その端子部３２が底壁１５より下方に突出するようにして固定される。また、コンタクト３０各々は、上下方向に弾性変形可能なように、例えば、中間部をくの字状に曲げられて、形成されている。コンタクト３０の接触片３１は、台座４０に形成されている貫通孔４３内に位置し、該貫通孔４３内において台座４０に対して相対的に上下方向に移動自在である。なお、図１（ｂ）に示されるように、コンタクト３０の接触片３１は、ＩＣパッケージ５０の接点部５１を挟持することにより該接点部５１と電気的に接触するように分岐されていてもよい。
【００１７】
台座４０は、合成樹脂製で、概略平板状をなし、その前後端近傍であって、左右端近傍に一対の脚部４１ａ、４１ｂが下方に突出形成されている。各脚部４１ａ、４１ｂには、同じ長さの上下方向に長い長孔４２ａ、４２ｂが形成され、ソケット基板１０に固定されている２本のシャフト４４が、対応する該長孔４２ａ、４２ｂをそれぞれ貫通する。したがって、台座４０は、シャフト４４が長孔４２ａ、４２ｂ内を上下方向に移動可能な長さ分だけ、ソケット基板１０に対して上下に移動可能である。なお、台座４０は、所定の厚さ（すなわち、台座４０の上下移動長さ以上の厚さ）を有しているのであれば、必ずしも一対の脚部４１ａ、４１ｂを有していなくてもよい。この場合、長孔４２ａ、４２ｂは、台座４０自体に直接形成される。
【００１８】
さらに、台座４０は、ソケット基板１０に設けられている弾性部材としての複数のコイルバネ１６により、常に上方に付勢されている（図１（ａ）参照）。台座４０には、また、ソケット１組立時に該コイルバネ１６や治具を台座収容室１１内に挿入するための挿入孔４５が所定位置に設けられていてもよい（図３（ａ）参照）。
【００１９】
台座４０には、さらに、載置されるＩＣパッケージ５０の複数の接点部５１に対応して、複数の貫通孔４３が形成されている。図１（ｂ）に示されるように、コンタクト３０の接触片３１が下方から該貫通孔４３の途中まで入り込んだ状態にあるように配置される。
【００２０】
ところで、リッド２０が開けられ、ＩＣパッケージ５０が台座４０上に載置された時、図１（ｂ）に示されるように、ＩＣパッケージ５０は、従来周知の位置決め機構４６（図３（ａ）参照）により案内され、位置決めされたＩＣパッケージ５０の接点部５１が貫通孔４３の上方から臨むことになる。この状態においては、弾性部材としてのコイルバネ１６の作用により、図１（ｂ）に示されるように、台座４０が最も上昇した位置にあるので、ＩＣパッケージ５０の接点部５１とコンタクト３０の先端部である接触片３１が電気的に接触しないように、コンタクト３０の接触片３１は、貫通孔４３内に位置している。次に、リッド２０が閉じられると、リッド２０のパッケージ押え２１がＩＣパッケージ５０及び台座４０を弾性部材としてのコイルバネ１６に抗して、同時に下方に押し下げる。それによって、相対的にコンタクト３０の接触片３１は、貫通孔４３内を上昇し、ＩＣパッケージ５０の接点部５１に到達する。リッド２０が完全に閉じた時、ＩＣパッケージ５０と台座４０とが、さらに、若干押し下げられることにより、コンタクト３０を弾性的に変形させ、該コンタクト３０に上方への反発力を発生させる。このようにして、図２（ａ）、（ｂ）に示されるように、ＩＣパッケージ５０の接点部５１とコンタクト３０の接触片３１とが所定の接触圧を伴って電気的に接触することが可能になる。
【００２１】
以下、上記構成を有するエリアアレイ用ソケット１の本発明による組立方法、特にソケット基板１０へのコンタクト３０及び台座４０の組立方法について、図３〜９を用いて説明する。
【００２２】
図３〜８は、本発明の組立て方法を加工順に示しており、いずれも、（ａ）は、エリアアレイ用ソケットの斜視図、（ｂ）は、その概略断面図である。また、図９は、図６、７に示される組立て工程に対応する、本発明の別の組立て方法を示すものであり、（ａ）、（ｂ）いずれもエリアアレイ用ソケットの概略断面図である。
【００２３】
エリアアレイ用ソケット１の組立ては、第１の工程として、図３（ａ）に示されるように、ソケット基板１０に形成されている台座収容室１１内底壁１５上に台座４０が収容される。台座４０は、図３（ｂ）に示されるように、該台座４０の下面が台座収容室１１の底壁１５上面に接するように、また、台座４０の貫通孔４３と底壁１５に形成されているコンタクト圧入孔１９とが一直線状に重なるように、台座収容室１１内に収容されることが好ましい。したがって、このような台座４０の収容状態を得るために、収容室１１の底壁１５の通し孔１５ａが台座４０下面に形成されている脚部４１ａ、４１ｂを収容できるように、所定位置に形成されていることが好ましい。
【００２４】
次に、第２の工程として、図４（ａ）、（ｂ）に示されるように、コンタクト３０が台座４０の貫通孔４３を介して底壁１５に形成されているコンタクト圧入孔１９に圧入され、該コンタクト３０の端子部３２が該圧入孔１９を下方に貫通した状態で底壁１５に固定される。
【００２５】
所定数の全てのコンタクト３０が固定された後、図５（ａ）、（ｂ）に示されるように、第３の工程として、底壁１５に形成されている通し孔１５ａを介して適宜の治具を台座４０の下面にあてがうことにより、台座４０が台座収容室１１内上方所定位置まで引き上げられる。台座４０の引き上げ位置は、図５（ｂ）に示されるように、該台座４０の脚部４１ａ、４１ｂに形成されている長孔４２ａ、４２ｂの上端が、収容室１１の側壁１２ｂ、１２ｄに形成されているシャフト挿入孔１８とほぼ一致する位置とすることが好ましい。なお、治具が挿入される通し孔１５ａは、台座４０の脚部４１ａ、４１ｂが収容される通し孔１５ａと同じ孔であってもよいし、別に独立して設けられている孔であってもよい。また、上記台座４０の上方への引き上げは、これに限られるものではなく、台座４０に設けられている挿入孔４５を利用して治具を使って該台座４０を引き上げるようにしてもよい。
【００２６】
続いて、第４の工程として、台座４０を上方に付勢する所定数のコイルバネ１６が、図６（ａ）、（ｂ）に示されるように、底壁１５に設けられている通し孔１５ａから台座収容室１１内に挿入される。挿入されたコイルバネ１６は、図７（ａ）、（ｂ）に示されるように、所定位置に設置される。このようなコイルバネ１６の設置においては、台座収容室１１の底壁１５上面及び台座４０下面の所定位置に、コイルバネ１６が入り込めるように若干の深さを有する取付凹部が形成されていると、当該コイルバネ１６の設置が容易である。また、設置されるコイルバネ１６の本数は、４本であることが好ましい。なお、図９（ａ）、（ｂ）に示されるように、台座４０に形成されている挿入孔４５からコイルバネ１６を台座収容室１１内に挿入し、所定位置に設置するようにしてもよい。
【００２７】
さらに続いて、第５の工程として、シャフト４４が、台座収容室１１の左右の側壁１２ｂ、１２ｄの内の一方の側壁（本実施例においては、左壁１２ｂ）に形成されているシャフト挿入孔１８から台座４０の脚部４１ａ、４１ｂに形成されている長孔４２ａ、４２ｂを経由して、他方の側壁（本実施例においては、右壁１２ｄ）に形成されているシャフト挿入孔１８に挿入されて後、該シャフト４４の両端がシャフト挿入孔１８において固定される。なお、このシャフト挿入、固定工程は、上記台座４０の引き上げ工程（第３の工程）の後であって、コイルバネ１６の挿入、設置工程（第４の工程）の前に実行されてもよい。
【００２８】
以上のようにして、コンタクト３０及び台座４０のソケット基板１０への組み込みが終了する。この後、リッド２０が、ソケット基板１０に回動自在に組み込まれることにより、エリアアレイ用ソケット１が完成する。
【００２９】
【発明の効果】
本発明は、以上述べたように、先に台座をソケット基板の台座収容室内底部に組み込み、次に該台座を介してコンタクトをソケット基板に固定して後、台座を所定位置まで上昇させるようにしたので、特別の道具を必要とすることなく容易に、また、時間をかけることなくエリアアレイ用ソケットを組み立てることが可能となる。また、コンタクト先端部を傷めることもない。
【図面の簡単な説明】
【図１】エリアアレイ用ソケットがＩＣパッケージを載置して後、ある程度開いている時の図であり、（ａ）は、エリアアレイソケット全体の概略断面図であり、（ｂ）は、（ａ）の領域Ｂ内の拡大断面図である。
【図２】ＩＣパッケージを載置したエリアアレイ用ソケットが完全に閉じている時の図であり、（ａ）は、エリアアレイソケット全体の概略断面図であり、（ｂ）は、図１（ａ）の領域Ｂとほぼ同様の領域である（ａ）の領域Ｂ’内の拡大断面図である。
【図３】本発明におけるエリアアレイ用ソケットの組立て方法の内、第１の工程である台座の組込み工程を示しており、（ａ）は、エリアアレイ用ソケットの斜視図、（ｂ）は、その概略断面図である。
【図４】本発明におけるエリアアレイ用ソケットの組立て方法の内、第２の工程であるコンタクト組込み工程を示しており、（ａ）は、エリアアレイ用ソケットの斜視図、（ｂ）は、その概略断面図である。
【図５】本発明におけるエリアアレイ用ソケットの組立て方法の内、第３の工程である台座引上げ工程を示しており、（ａ）は、エリアアレイ用ソケットの斜視図、（ｂ）は、その概略断面図である。
【図６】本発明におけるエリアアレイ用ソケットの組立て方法の内、第４の工程であるコイルバネ組込み工程を示しており、（ａ）は、エリアアレイ用ソケットの斜視図、（ｂ）は、その概略断面図である。
【図７】本発明におけるエリアアレイ用ソケットの組立て方法の内、第４の工程であるコイルバネ組込み工程を示しており、（ａ）は、エリアアレイ用ソケットの斜視図、（ｂ）は、その概略断面図である。
【図８】本発明におけるエリアアレイ用ソケットの組立て方法の内、第５の工程であるシャフト組込み工程を示しており、（ａ）は、エリアアレイ用ソケットの斜視図、（ｂ）は、その概略断面図である。
【図９】図６、７に示される組立て工程に対応する、本発明の別の組立て方法を示すものであり、（ａ）、（ｂ）の順にコイルバネが組立てられる工程を示し、（ａ）、（ｂ）いずれもエリアアレイ用ソケットの概略断面図である。
【図１０】従来のエリアアレイ用ソケットの組立て方法を示す斜視図であって、（ａ）、（ｂ）、（ｃ）、（ｄ）の順にコンタクト及び台座の組立て工程を示している。
【図１１】図１０（ｃ）の工程における問題点を説明するための一部拡大断面図である。
【符号の説明】
１　　　　　　　エアアレイ用ソケット
１０　　　　　　ソケット基板
１１　　　　　　台座収容室
１２ａ　　　　　第１の側壁（前壁）
１２ｂ　　　　　第２の側壁（左壁）
１２ｃ　　　　　第３の側壁（後壁）
１２ｄ　　　　　第４の側壁（右壁）
１３ａ、１３ｂ　（一対の）突出体
１４　　　　　　係合爪
１５　　　　　　底壁
１５ａ　　　　　通し孔
１６　　　　　　コイルバネ
１８　　　　　　シャフト挿入孔
１９　　　　　　コンタクト圧入孔
２０　　　　　　リッド（蓋部）
２１　　　　　　パッケージ押え
２２　　　　　　ラッチ
２３　　　　　　ピン
３０　　　　　　コンタクト
３１　　　　　　接触片
３２　　　　　　端子部
４０　　　　　　台座
４１ａ　　　　　（前方の）一対の脚部
４１ｂ　　　　　（後方の）一対の脚部
４２ａ　　　　　（一対の脚部４１ａに形成されている）長孔
４２ｂ　　　　　（一対の脚部４１ｂに形成されている）長孔
４３　　　　　　貫通孔
４４　　　　　　シャフト
４５　　　　　　挿入孔
４６　　　　　　位置決め機構
５０　　　　　　ＩＣパッケージ
５１　　　　　　接点部（半田ボール）
【図１】
2004014303.tif 000003
【図２】
2004014303.tif 000004
【図３】
2004014303.tif 000005
【図４】
2004014303.tif 000006
【図５】
2004014303.tif 000007
【図６】
2004014303.tif 000008
【図７】
2004014303.tif 000009
【図８】
2004014303.tif 000010
【図９】
2004014303.tif 000011
【図１０】
2004014303.tif 000012
【図１１】
2004014303.tif 000013